(57)【要約】【課題】エレベータにおいて、行先登録操作の自由度を確保すると共に、よりユニバーサルデザインに適したものとする。【解決手段】行先階釦の配置及び大きさが表示画面において可変可能とされた行先階登録装置５１〜５３と、乗りかご内の扉付近に設置され、利用者が携帯した携帯情報端末に記録された端末情報、あるいは利用者の個別情報を受信する無線受信端末８１〜８３と、端末情報、あるいは個別情報に対応して、少なくとも車椅子利用者であるか否か、身長の高低、居住階、予め登録した乗降階、の情報が登録された個人情報データベース７と、を備え、無線受信端末８１〜８３により端末情報、あるいは個別情報を受信したとき、個人情報データベース７を参照して情報に基づいて、行先階釦の配置及び大きさを決定する。【選択図】図２
2015013695.tif 000002
【特許請求の範囲】
【請求項１】
複数階床を乗りかごを移動させることでサービスするエレベータに対して前記乗りかご内で利用者が行先を登録するエレベータの行先階登録装置において、
行先階釦を表示する液晶パネルと、前記行先階釦の入力を行うタッチパネルとが複合化され、前記行先階釦の配置及び大きさが表示画面において可変可能とされた前記行先階登録装置と、
前記乗りかご内の扉付近に設置され、前記利用者が携帯した携帯情報端末に記録された端末情報、あるいは前記利用者の個別情報を受信する無線受信端末と、
前記端末情報、あるいは前記個別情報に対応して、少なくとも車椅子利用者であるか否か、身長の高低、居住階、予め登録した乗降階、の情報が登録された個人情報データベースと、
を備え、前記無線受信端末により前記端末情報、あるいは前記個別情報を受信したとき、前記個人情報データベースを参照して前記情報に基づいて、前記行先階釦の配置及び大きさを決定することを特徴とするエレベータの行先階登録装置。
【請求項２】
請求項１に記載のエレベータの行先階登録装置において、車椅子利用者であると判別された場合、各停止階床を示す行先階釦の表示を前記表示画面の下方に集中させて配置したことを特徴とするエレベータの行先階登録装置。
【請求項３】
請求項１に記載のエレベータの行先階登録装置において、身長が所定の値よりも低いと判別された場合、各停止階床を示す行先階釦の表示を前記表示画面の下方に集中させて配置し、身長が所定の値よりも高い乗客であると判別された場合、前記行先階釦の表示を上方に集中させて配置することを特徴とするエレベータの行先階登録装置。
【請求項４】
請求項１に記載のエレベータの行先階登録装置において、前記居住階が判別された場合、前記居住階に対応する行先階釦の表示を他の停止階床を示すものより大きく表示することを特徴とするエレベータの行先階登録装置。
【請求項５】
請求項１に記載のエレベータの行先階登録装置において、予め登録した前記乗降階が判別された場合、前記乗降階に対応する行先階釦の表示を他の停止階床を示すものより大きく表示することを特徴とするエレベータの行先階登録装置。
【請求項６】
請求項１に記載のエレベータの行先階登録装置において、少なくとも前記居住階、あるいは予め登録した前記乗降階のいずれかが判別された場合、判別された階床に対応する行先階釦の表示だけを行うことを特徴とするエレベータの行先階登録装置。
【発明の詳細な説明】
【技術分野】
【０００１】
本発明はエレベータの行先階登録装置に係り、特にユニバーサルデザイン化するものに好適である。
【背景技術】
【０００２】
従来、サービスを飛躍的に向上させるため、エレベータの利用者によって携帯された携帯電話から利用者の個別情報を得て、呼び情報、行先情報などを自動的に登録して最適な運転制御を実行することが知られ、例えば特許文献１に記載されている。また、タッチパネル装置において、背の高い人でも車椅子の人でも、自然で無理のない姿勢でタッチ操作をするため、操作者の身長を検出し、画面の一部に表示されるタッチ画面の位置を操作者の身長に応じて上方または下方に移動させることが知られ、例えば特許文献２に記載されている。
【先行技術文献】
【特許文献】
【０００３】
【特許文献１】特開２００５−２８０９０６号公報
【特許文献２】特開２００１−１１７６８４号公報
【発明の概要】
【発明が解決しようとする課題】
【０００４】
上記特許文献１に記載のものは、予め特定の階床を利用することが多い利用者に対するサービスとしては良いが、様々な階床に行くような場合には、却って自動登録された行先を変更しなければならない。したがって、ユニバーサルデザインの原則である使う上での柔軟性があること、単純で直感的な利用ができること、必要な情報がすぐに分かること、身体への過度な負担を必要としないこと、サイズと空間が利用し易いこと、などの点を十分配慮しているとは言い難い。また、エレベータの行先階登録装置に特許文献２に記載のものを単純に適用しただけでは、十分ではなく、特にかご内に行先登録装置が設けられるものでは、かご内が密室になることからもより安全に配慮する必要がある。
【０００５】
本発明の目的は、上記従来技術の課題を解決し、エレベータにおいて、行先登録操作の自由度を確保すると共に、よりユニバーサルデザインに適したものとすることにある。
【課題を解決するための手段】
【０００６】
上記目的を達するために、本発明は、複数階床を乗りかごを移動させることでサービスするエレベータに対して前記乗りかご内で利用者が行先を登録するエレベータの行先階登録装置において、行先階釦を表示する液晶パネルと、前記行先階釦の入力を行うタッチパネルとが複合化され、前記行先階釦の配置及び大きさが表示画面において可変可能とされた前記行先階登録装置と、前記乗りかご内の扉付近に設置され、前記利用者が携帯した携帯情報端末に記録された端末情報、あるいは前記利用者の個別情報を受信する無線受信端末と、前記端末情報、あるいは前記個別情報に対応して、少なくとも車椅子利用者であるか否か、身長の高低、居住階、予め登録した乗降階、の情報が登録された個人情報データベースと、を備え、前記無線受信端末により前記端末情報、あるいは前記個別情報を受信したとき、前記個人情報データベースを参照して前記情報に基づいて、前記行先階釦の配置及び大きさを決定する、ものである。
【発明の効果】
【０００７】
本発明によれば、乗りかご内の扉付近に設置された無線受信端末により、利用者が携帯した情報を受信したとき、行先階釦の配置及び大きさを決定するので、よりユニバーサルデザインに適したものとすることができる。
【図面の簡単な説明】
【０００８】
【図１】本発明の一実施の形態であるエレベータ装置の全体ブロック図。
【図２】一実施の形態による行先階登録装置の表示例を示す図。
【図３】一実施の形態による表示処理を示すフローチャート。
【発明を実施するための形態】
【０００９】
以下、図面を参照して本発明の一実施例を説明する。  
図１は、エレベータ装置の全体構成図であり、１はエレベータ制御装置、２は群管理制御装置、３１〜３３はエレベータ１〜３号機の号機制御装置である。４１〜４３は、１〜３号機の乗りかごである。５１〜５３はかご内行先階登録装置、６１〜６３はかご位置表示装置である。７は個人情報データベース、８１〜８３は無線受信端末である。１０１、１０２は各階床乗場の各号機共通の乗り場呼び釦、１１１〜１１６はそれぞれ１〜３号機の乗場に設けられサービスエレベータを案内するためのホールランタン（予約灯とも呼ぶ）である。
エレベータ機械室にあるエレベータ制御装置１は群管理制御装置２と複数の号機制御装置３１〜３３から構成されている。乗りかご内にはかご呼び釦５１が設けられており、かご呼び釦５１の信号は号機制御装置３１へ入力される。各階の乗場、例えば１階乗場には乗り場呼び釦１０１が設けられており、釦を押すことで予約操作となり、乗り場呼びに対して割当てられた乗りかごが配車される。  
乗りかご４１内に設置のかご位置表示装置６１は、群管理制御装置２から乗りかごの位置を示す信号が入力される。ホールランタン１１１〜１１６は、乗りかごの移動方向、到着等を示す乗場案内装置であり、号機制御装置３１〜３３を介して群管理制御装置２との間で利用者に乗りかごを案内する信号を入出力する構成としている。
群管理制御装置２は、乗場呼び１０１、１０２からの信号、各号機制御装置３１〜３３から通信で送られてくるエレベータの位置、方向、かご呼びの状況、かご内の混雑度信号などに基づいて新たに発生した乗場呼びに対して乗りかご中の１台のいずれかのかごに割当て、該当する号機制御装置３１〜３３に割当信号を送出する。
号機制御装置３１〜３３はエレベータの走行制御、戸開閉制御等の号機に独立した制御を行い群管理制御装置２へ関連した信号を出力する。また、群管理制御装置２からの割当信号によりホールランタン１１１〜１１６の点灯のオンオフを制御し、乗り場の待ち客に対して案内を行う。
無線受信端末８１〜８３は乗りかご内の扉付近に設置され、エレベータ乗客が携帯した携帯電話、スマートフォン（多機能携帯電話）、タブレット端末、等の携帯情報端末に記録された端末情報、あるいは乗客の個別情報を受信し、号機制御装置３１〜３３を経由して、群管理制御装置２へ送信する。
群管理制御装置２では、端末情報あるいは乗客の個別情報に対応して行先階登録装置５１〜５３の最適なかご呼び釦配置・大きさが記憶された個人情報データベース７を参照して号機制御装置３１〜３３を経由してかご呼び釦５１〜５３の表示方法を決定する。行先階登録装置５１〜５３は液晶モニタとタッチパネルが複合されて構成され、自由にかご呼び釦の配置・大きさの変更可能とされている。したがって、無線受信端末８１〜８３により携帯情報端末に記録された端末情報、あるいは乗客の個別情報を受信したとき、少なくとも車椅子利用者であるか否か、身長の高低、居住階、乗降階の情報が登録された個人情報データベース７を参照して行先階釦の配置及び大きさを決定する。
【００１０】
図２は、行先階釦の配置及び大きさを決定の具体例を示し、かご内行先階登録装置のかご呼び釦配置・大きさを最適に、特に利用者の目的階と身長を元に変更する説明図である。６１１は、通常の行先階登録装置の表示であり、各停止階床が下階から順に２列に渡って表示されている。  
かご内扉付近に設置した無線受信端末８１により乗客の所持する携帯情報端末から端末情報を受信し、個人情報データベース７を参照して、車椅子利用者であるか身長が所定の値よりも低い子供であると判別された場合、表示を変更する。例えば、６１２に図示したように各停止階床を示す行先階釦の表示を表示画面の下方、下半分に集中させて、３列に配置する。
【００１１】
また、逆に、身長が所定の値よりも高い乗客であると判別された場合、６１３に図示したように各停止階床を表示画面の上方、上半分に集中させて、３列に配置する。  
さらに、乗客の居住階が１４階であると判別された場合、６１４に図示したようにかご呼び釦の”１４”を他の階床よりも大きく表示し、目的階となる可能性が高い階を入力しやすい表示とする。この際、居住階で無くても、個人情報データベースに端末情報あるいは乗客の個別情報に対応して予め乗降階を登録すれば、登録された階を利用頻度の高い階として特定して判別が可能となり、居住階と同様にかご呼び釦を大きく表示する。
さらに、６１４に図示した表示では特定のかご呼び釦の表示を他の階より大きくしたが、６１５に図示したように、特定した階だけを表示する、あるいは６１６に図示したようにかご呼び釦を点滅表示することが良い。
【００１２】
図３は、エレベータ乗客が所持する携帯電話の個別情報を元に群管理制御装置が行先階制御装置に対して指令を行う処理を説明するフローチャートである。  
群管理制御装置２は、エレベータ乗客が所持する携帯電話の個別情報を号機制御装置３１を介して受信した場合に、ｓ３００にて前記受信した個別情報が新しい携帯電話のものかを判定し、前回受信した携帯電話の個別情報であるならば本処理を終了する。
【００１３】
ｓ３００にて新しい携帯電話であると判定された場合には、ｓ３０５にて個別情報データベース７の登録データから携帯電話の所持者データを抽出し、ｓ３１０にて抽出データを元にエレベータ乗客が車椅子利用者であるかを判定し、車椅子利用者であった場合には、ｓ３３５にて号機制御装置３１を介して行先階登録装置５１にかご呼び釦を下部に配置する指令を送信し、本処理を終了する。
【００１４】
ｓ３１０にてエレベータ乗客が車椅子利用者でないと判定された場合には、ｓ３１５にて抽出データを元にエレベータ乗客の身長が規定値ｎより低いかを判定し、規定値ｎより低いと判定された場合には、ｓ３３５にて号機制御装置３１を介して行先階登録装置５１にかご呼び釦を下部に配置する指令を送信する。
【００１５】
ｓ３１５にてエレベータ乗客の身長が規定値ｎ以上であった場合には、ｓ３２０にて抽出データを元にエレベータ乗客の身長が規定値ｍより高いかを判定し、規定値ｍより高いと判定された場合には、ｓ３３０にて号機制御装置３１を介して行先階登録装置５１にかご呼び釦を上部に配置する指令を送信する。
【００１６】
規定値ｎは規定値ｍより小さい値とする。ｓ３２０にてエレベータ乗客の身長が規定値ｍ以下であった場合には、ｓ３２５にて抽出データをよりエレベータ乗客の居住階を参照し、号機制御装置３１を介して行先階登録装置５１に居住階にあたるかご呼び釦を大きく表示する指令を送信し、本処理を終了する。
【符号の説明】
【００１７】
１…エレベータ制御装置、２…群管理制御装置、３１〜３３…号機制御装置、４１〜４３…１〜３号機乗りかご、５１〜５３…行先階登録装置、６１〜６３…かご位置表示装置、７…個人情報データベース、８１〜８３…無線受信端末、１０１〜１０２…乗り場呼び釦、１１１〜１１６…ホールランタン（予約灯）。
【図１】
2015013695.tif 000003
【図２】
2015013695.tif 000004
【図３】
2015013695.tif 000005